(57)【要約】【課題】常に新しい地域情報・住民意見を効率良く収集・提供できるようにする。個人の誹謗・中傷などの不適切な情報が発信されないようにする。【解決手段】地域情報・住民意見の収集・提供側コンピュータシステムとしてサーバ１を設備してインターネット上のＷｅｂサイトとして立ち上げ、地域住民の多数のユーザ端末をクライアント２とするサーバ／クライアント方式で地域情報・住民意見の収集・提供のための通信を可能にする。一般の地域住民がインターネット等を通じて地図と関連する地域情報や住民意見を容易に地図上で投稿・発信できるようにし、この投稿情報を基にシステムが地図データを関連させて地域情報や住民意見を自動的に更新する。また、投稿情報の公開には、いったん管理者がＷｅｂブラウザ等の上でチェック・必要に応じて編集し、公開設定した時点でインターネット等で一般公開する。【選択図】　図１
2004062352.tif 000002
【特許請求の範囲】
【請求項１】
システム側サーバとユーザ側端末とがインターネット等のネットワークを介して通信を行い、ユーザ側端末に地域情報や住民意見情報を提供するための地域情報・住民意見の収集または提供方法であって、
地域情報・住民意見情報を蓄積するデータベースに対してユーザ側端末からのアクセスを許諾し、前記情報に対して一般アクセス者による参照、一般登録ユーザによる投稿とその編集、特権ユーザによる未公開情報の閲覧を可能とし、前記情報に対して管理者による未公開情報の編集・公開設定を可能としたユーザ情報管理過程を有することを特徴とする地域情報・住民意見の収集または提供方法。
【請求項２】
前記情報を公開する前に、管理者が当該情報をチェックおよび必要に応じて編集できる情報チェック支援過程を有することを特徴とする請求項１に記載の地域情報・住民意見の収集または提供方法。
【請求項３】
前記情報を閲覧したユーザが当該情報への「共感」を表明したときに当該情報の重み付けとして登録できる共感登録過程を有することを特徴とする請求項１または２に記載の地域情報・住民意見の収集または提供方法。
【請求項４】
前記情報の投稿には地図画面表示の基に地図情報と関連させた情報として収集し、この収集した情報の分析結果を地図上でのグラフ表示やシンボルの大きさで表示する集計・分析表示過程を有することを特徴とする請求項１〜３のいずれか１項に記載の地域情報・住民意見の収集または提供方法。
【請求項５】
システム側サーバとユーザ側端末とがインターネット等のネットワークを介して通信を行い、ユーザ側端末に地域情報や住民意見情報を提供するための地域情報・住民意見の収集または提供システムであって、
地域情報や住民意見情報を蓄積するデータベースに対してユーザ側端末からのアクセスを許諾し、前記情報に対して一般アクセス者による参照、一般登録ユーザによる投稿とその編集、特権ユーザによる未公開情報の閲覧を可能とし、前記情報に対して管理者による未公開情報の編集・公開設定を可能としたユーザ情報管理手段を有することを特徴とする地域情報・住民意見の収集または提供システム。
【請求項６】
前記情報を公開する前に、管理者が当該情報をチェックおよび必要に応じて編集できる情報チェック支援手段を有することを特徴とする請求項５に記載の地域情報・住民意見の収集または提供システム。
【請求項７】
前記情報を閲覧したユーザが当該情報への「共感」を表明したときに当該情報の重み付けとして登録できる共感登録手段を有することを特徴とする請求項５または６に記載の地域情報・住民意見の収集または提供システム。
【請求項８】
前記情報の投稿には地図画面表示の基に地図情報と関連させた情報として収集し、この収集した情報の分析結果を地図上でのグラフ表示やシンボルの大きさで表示する集計・分析表示手段を有することを特徴とする請求項５〜７のいずれか１項に記載の地域情報・住民意見の収集または提供システム。
【請求項９】
システム側サーバとユーザ側端末とがインターネット等のネットワークを介して通信を行い、ユーザ側端末に地域情報や住民意見情報を提供するための地域情報・住民意見の収集または提供方法をコンピュータで実行可能に構成したプログラムであって、
地域情報や住民意見情報を蓄積するデータベースに対してユーザ側端末からのアクセスを許諾し、前記情報に対して一般アクセス者による参照、一般登録ユーザによる投稿とその編集、特権ユーザによる未公開情報の閲覧を可能とし、前記情報に対して管理者による未公開情報の編集・公開設定を可能としたユーザ情報管理過程と、
前記情報を公開する前に、管理者が当該情報をチェックおよび必要に応じて編集できる情報チェック支援過程と、
前記情報を閲覧したユーザが当該情報への「共感」を表明したときに当該情報の重み付けとして登録できる共感登録過程と、
前記情報の投稿には地図画面表示の基に地図情報と関連させた情報として収集し、この収集した情報の分析結果を地図上でのグラフ表示やシンボルの大きさで表示する集計・分析表示過程と、
を有することを特徴とするプログラム。
【請求項１０】
システム側サーバとユーザ側端末とがインターネット等のネットワークを介して通信を行い、ユーザ側端末に地域情報や住民意見情報を提供するための地域情報・住民意見の収集または提供方法をコンピュータで実行可能に構成したプログラムを記録した記録媒体であって、
地域情報や住民意見情報を蓄積するデータベースに対してユーザ側端末からのアクセスを許諾し、前記情報に対して一般アクセス者による参照、一般登録ユーザによる投稿とその編集、特権ユーザによる未公開情報の閲覧を可能とし、前記情報に対して管理者による未公開情報の編集・公開設定を可能としたユーザ情報管理過程と、
前記情報を公開する前に、管理者が当該情報をチェックおよび必要に応じて編集できる情報チェック支援過程と、
前記情報を閲覧したユーザが当該情報への「共感」を表明したときに当該情報の重み付けとして登録できる共感登録過程と、
前記情報の投稿には地図画面表示の基に地図情報と関連させた情報として収集し、この収集した情報の分析結果を地図上でのグラフ表示やシンボルの大きさで表示する集計・分析表示過程と、
を有することを特徴とする記録媒体。
【発明の詳細な説明】
【０００１】
【発明の属する技術分野】
本発明は、インターネット等のネットワークを介して地域情報や住民意見情報を提供するための地域情報・住民意見の収集または提供方法および収集または提供システムに係り、詳細には、地域情報・住民意見情報を地図データと関連付けて管理し、リアルタイムに情報提供・更新・削除できるようにした地域情報・住民意見の収集または提供方法および収集または提供システムに関する。
【０００２】
【従来の技術】
・自治体や観光協会など多くの団体が、Ｗｅｂサイトを立ち上げてインターネット上に地域情報を発信している。また、地図画像を掲載し、その画像にリンクを張って地域の観光情報や施設情報等を提供しているサイトもある。
【０００３】
・インターネットを通じ、地域住民の意見をホームページ上、またはメールで受け付けている自治体もある。また、電子掲示板のような情報交換の場を提供し、地域情報を発信したり住民意見を収集・公開しているサイトもある。
【０００４】
【発明が解決しようとする課題】
・地図画像を用いて地域情報を発信する場合、情報を追加する際に地図画像の修正やＷｅｂページの編集作業が発生するため、特定の人が更新しなければならず、また情報の更新に時間がかかる。
【０００５】
本発明の目的は、常に新しい情報を効率良く収集・提供することができる地域情報・住民意見の収集または提供方法、収集または提供システム、プログラムおよびこのプログラムを記録した記録媒体を提供することにある。
【０００６】
また、本発明の他の目的は、個人の誹謗・中傷などの不適切な情報が発信されるのを防止した地域情報・住民意見の収集または提供方法、収集または提供システム、プログラムおよびこのプログラムを記録した記録媒体を提供することにある。
【０００７】
【課題を解決するための手段】
本発明は、一般の地域住民がインターネット等を通じて地図と関連する地域情報や住民意見を容易に地図上で投稿・発信できるようにし、この投稿情報を基にシステムが地図データを関連させて地域情報や住民意見を自動的に更新することで、常に新しい情報を効率良く収集・提供できるようにし、また、投稿情報の公開には、いったん管理者がＷｅｂブラウザ等の上でチェック・必要に応じて編集し、公開設定した時点でインターネット等で一般公開することで、不適切な情報が発信されるのを防止するようにしたもので、以下の収集または提供方法、システム、プログラムおよび記録媒体を特徴とする。
【０００８】
（方法の発明）
（１）システム側サーバとユーザ側端末とがインターネット等のネットワークを介して通信を行い、ユーザ側端末に地域情報や住民意見情報を提供するための地域情報・住民意見の収集または提供方法であって、
地域情報や住民意見情報を蓄積するデータベースに対してユーザ側端末からのアクセスを許諾し、前記情報に対して一般アクセス者による参照、一般登録ユーザによる投稿とその編集、特権ユーザによる未公開情報の閲覧を可能とし、前記情報に対して管理者による未公開情報の編集・公開設定を可能としたユーザ情報管理過程を有することを特徴とする。
【０００９】
（２）前記情報を公開する前に、管理者が当該情報をチェックおよび必要に応じて編集できる情報チェック支援過程を有することを特徴とする。
【００１０】
（３）前記情報を閲覧したユーザが当該情報への「共感」を表明したときに当該情報の重み付けとして登録できる共感登録過程を有することを特徴とする。
【００１１】
（４）前記情報の投稿には地図画面表示の基に地図情報と関連させた情報として収集し、この収集した情報の分析結果を地図上でのグラフ表示やシンボルの大きさで表示する集計・分析表示過程を有することを特徴とする。
【００１２】
（システムの発明）
（５）システム側サーバとユーザ側端末とがインターネット等のネットワークを介して通信を行い、ユーザ側端末に地域情報や住民意見情報を提供するための地域情報・住民意見の収集または提供システムであって、
地域情報や住民意見情報を蓄積するデータベースに対してユーザ側端末からのアクセスを許諾し、前記情報に対して一般アクセス者による参照、一般登録ユーザによる投稿とその編集、特権ユーザによる未公開情報の閲覧を可能とし、前記情報に対して管理者による未公開情報の編集・公開設定を可能としたユーザ情報管理手段を有することを特徴とする。
【００１３】
（６）前記情報を公開する前に、管理者が当該情報をチェックおよび必要に応じて編集できる情報チェック支援手段を有することを特徴とする。
【００１４】
（７）前記情報を閲覧したユーザが当該情報への「共感」を表明したときに当該情報の重み付けとして登録できる共感登録手段を有することを特徴とする。
【００１５】
（８）前記情報の投稿には地図画面表示の基に地図情報と関連させた情報として収集し、この収集した情報の分析結果を地図上でのグラフ表示やシンボルの大きさで表示する集計・分析表示手段を有することを特徴とする。
【００１６】
（プログラムの発明）
（９）システム側サーバとユーザ側端末とがインターネット等のネットワークを介して通信を行い、ユーザ側端末に地域情報や住民意見情報を提供するための地域情報・住民意見の収集または提供方法をコンピュータで実行可能に構成したプログラムであって、
地域情報や住民意見情報を蓄積するデータベースに対してユーザ側端末からのアクセスを許諾し、前記情報に対して一般アクセス者による参照、一般登録ユーザによる投稿とその編集、特権ユーザによる未公開情報の閲覧を可能とし、前記情報に対して管理者による未公開情報の編集・公開設定を可能としたユーザ情報管理過程と、
前記情報を公開する前に、管理者が当該情報をチェックおよび必要に応じて編集できる情報チェック支援過程と、
前記情報を閲覧したユーザが当該情報への「共感」を表明したときに当該情報の重み付けとして登録できる共感登録過程と、
前記情報の投稿には地図画面表示の基に地図情報と関連させた情報として収集し、この収集した情報の分析結果を地図上でのグラフ表示やシンボルの大きさで表示する集計・分析表示過程と、
を有することを特徴とする。
【００１７】
（記録媒体の発明）
（１０）システム側サーバとユーザ側端末とがインターネット等のネットワークを介して通信を行い、ユーザ側端末に地域情報や住民意見情報を提供するための地域情報・住民意見の収集または提供方法をコンピュータで実行可能に構成したプログラムを記録した記録媒体であって、
地域情報や住民意見情報を蓄積するデータベースに対してユーザ側端末からのアクセスを許諾し、前記情報に対して一般アクセス者による参照、一般登録ユーザによる投稿とその編集、特権ユーザによる未公開情報の閲覧を可能とし、前記情報に対して管理者による未公開情報の編集・公開設定を可能としたユーザ情報管理過程と、
前記情報を公開する前に、管理者が当該情報をチェックおよび必要に応じて編集できる情報チェック支援過程と、
前記情報を閲覧したユーザが当該情報への「共感」を表明したときに当該情報の重み付けとして登録できる共感登録過程と、
前記情報の投稿には地図画面表示の基に地図情報と関連させた情報として収集し、この収集した情報の分析結果を地図上でのグラフ表示やシンボルの大きさで表示する集計・分析表示過程と、
を有することを特徴とする。
【００１８】
【発明の実施の形態】
（１）システムの基本構成
図１は、本発明の実施形態を示す基本的なシステム構成図である。本システムは、地域情報・住民意見の収集・提供を草の根情報システムとして構築し、地域情報・住民意見の収集・提供側コンピュータシステムとしてサーバ１を設備してインターネット上のＷｅｂサイトとして立ち上げ、地域住民の多数のユーザ端末をクライアント２とするサーバ／クライアント方式で地域情報・住民意見の収集・提供のための通信を可能にする。サーバ１は、情報管理者用端末のクライアント１Ａとはイントラネットまたはインターネットで接続して情報の収集・提供機能を実現する。
【００１９】
（２）サーバの構成
サーバ１のブロック構成図を図２に示す。サーバ１は、汎用ソフトウェアのＯＳ１１、Ｗｅｂサーバ１２、ＤＢＭＳ（データベース管理システム）１３、ＧＩＳ（地理情報システム）エンジン１４、Ｗｅｂアプリケーションサーバ１５、及び本システムの動作を制御するメインプログラム１６から構成され、ユーザ管理データ、基盤地図データ、地域情報属性データ、地域情報シンボル属性データ、地域情報添付ファイル等をデータベース１７〜２１やデータ２２、２３、添付ファイル２４として蓄積・管理する。
【００２０】
ユーザ管理データベース１７には、ユーザ情報として、ユーザＩＤ、ユーザタイプ（権限）、アカウント（ログイン名）、パスワード、氏名、性別、生年月日、住所、電話番号、Ｅ−Ｍａｉｌアドレス等を蓄積・管理する。
【００２１】
地域情報属性データベース１８には、地域情報と住民意見情報を関連させた情報として、地域情報ＩＤ、分野（レイヤ）、タイトル、意見タイプ、投稿者（ユーザ名）、投稿内容、投稿日、更新日、共感者数、処理状態（チェック前、チェック中、公開する、公開しない、公開中）等を蓄積・管理する。
【００２２】
未公開地域情報シンボル属性データベース２０および分野別地域情報シンボル属性データベース２１には、地域情報とそのシンボル属性情報とを地図情報と関連させた情報として、地域情報ＩＤ、図形ＩＤ、位置（Ｘ，Ｙ）等を蓄積・管理する。
【００２３】
基盤地図データ２２には地域の地図データを蓄積・管理する。
【００２４】
レイヤ別地域情報シンボルデータ２３は、地図情報と関連させ、防災、環境等のレイヤ別に地域情報のシンボルデータを蓄積・管理する。
【００２５】
地域情報添付ファイルデータ２４には、ＩＤ、地域情報ＩＤ、添付ファイル名等を関連させたファイルとして蓄積・管理する。
【００２６】
以上のシステム構成において、サーバ１がネットワークを介して情報提供する主な機能は、ユーザ管理、地域情報の閲覧・検索、地域情報の投稿・編集、未公開情報チェック機能である。
【００２７】
（３）システムの機能構成
図３にＷｅｂページのリンク構成を示し、また、図４〜図７にメインプログラムの機能ブロック図を示す。なお、図４〜図７中の矢印は各ページからの移行可能なページを示す。これら図３および図４〜図７で示した各ページ画面での機能を以下に詳細に説明する。また、各機能における表示画面の例を図８〜図１９に示す。
【００２８】
（Ａ）ログインページ（図８の表示画面例参照）
図４に詳細を示すように、草の根情報システムへのログインページであり、システムへアクセスしたクライアントがログイン名とパスワードの入力とログインまたはユーザ登録・変更ページの選択で次のページを開くことができる。
【００２９】
（Ｂ）ユーザ情報編集ページ（図９の表示画面例参照）
図４に詳細を示すように、一般用編集ページで、ログインページのユーザ登録・変更ページの選択でユーザ情報を新規登録・変更するページであり、ユーザの氏名等の入力とパスワード確認でユーザ登録、更新、削除をユーザ管理データベース１７に対して実行する。
【００３０】
ユーザ情報を登録した住民（一般登録ユーザ）は、地域情報や住民意見としての投稿やその編集が許諾される。
【００３１】
（Ｃ）トップページ（図１０の表示画面例参照）
図４に詳細を示すように、草の根システムのトップページで、ユーザタイプ（一般アクセス者、一般登録ユーザ、特権ユーザ、管理者）に応じて下表に示す機能ボタンの表示／非表示を切り替え、許諾された者のみが表示されるページへの移行可能にする。
【００３２】
【表１】
2004062352.tif 000003
【００３３】
すなわち、情報に対して一般アクセス者による地図や一覧と集計・分析結果の参照、一般登録ユーザによる投稿とその編集（チェック状況確認）、特権ユーザによる未公開情報の閲覧を可能とする。さらに、管理者は未公開情報の一覧と編集・公開設定とユーザ情報管理を可能とする。
【００３４】
（Ｄ）広域地図表示ページ（図１１の表示画面例参照）
図４に詳細を示すように、ＧＩＳエンジン１４とＤＢＭＳ１３の協働で、基盤地図データ２２とシンボルデータ２３等から市全域地図と分野別シンボルをユーザに発信しその表示をする。ユーザによる地図上でのマウスクリックにより、その近辺の詳細地図を表示した詳細参照・登録ページＦへ移行可能にする。
【００３５】
（Ｅ）一覧検索ページ（図１２の表示画面例参照）
図４に詳細を示すように、ー般公開中の地域情報を地図情報と連動させて一覧表示するべ一ジであり、情報の投稿日、投稿者、情報分野等の検索条件を指定して絞込み表示可能としている。ユーザによる地図上でのマウスクリックにより、詳細参照・登録ページＦへ移行可能にする。
【００３６】
（Ｆ）詳細参照・登録ページ（図１３の表示画面例参照）
図５に詳細を示すように、データベース１８、２０、２１等を利用して、地域情報の詳細を参照したり、一般ユーザが地域情報を投稿や地域情報への共感登録を可能とする。ユーザが「共感」を表明したときに当該情報の重み付けとして登録する。また、管理者による地域情報の変更・削除を可能にする。
【００３７】
（Ｇ）集計・分析表示ページ（図１４の表示画面例参照）
地域情報の集計・分析結果を表示するページである。情報の分析結果は地図上でのグラフ表示やシンボルの大きさで表示する。
【００３８】
（Ｈ）ユーザ情報管理ページ（図１５の表示画面例参照）
図６に詳細を示すように、管理者のみアクセス可能で、ユーザ管理データベース１７の情報を基に、ユーザ情報を一覧表示してその検索、追加、更新、削除等を選択するページである。なお、検索条件を指定して絞込み表示することが可能とする。また、投稿されたユーザ情報の選択的削除を実行可能とする。
【００３９】
（Ｉ）ユーザ情報編集ページ（図１６の表示画面例参照）
図６に詳細を示すように、管理者のみアクセス可能で、ユーザ管理データベース１７に対してユーザ情報を新規登録・編集するページである。
【００４０】
（Ｊ）未公開情報一覧ページ（図１７の表示画面例参照）
図７に詳細を示すように、管理者および特権ユーザのみアクセス可能で、データベース１８、１９、２１を使用して、一般公開していない地域情報を一覧表示するページである。検索条件を指定して絞込み表示することを可能とする。また、管理者は未公開地域情報の公開設定を実行できるものとする。
【００４１】
（Ｋ）情報チェックページ（図１８の表示画面例参照）
図７に詳細を示すように、管理者および特権ユーザのみアクセス可能で、データベース１８、２０を使用して、一般公開していない地域情報の詳細を表示するべ一ジである。管理者は情報の状態（チェック中／公開する／公開しない）を変更したり、情報内容を削除することを可能とする。
【００４２】
（Ｌ）情報チェック状況確認ページ（図１９の表示画面例参照）
一般登録ユーザのみアクセス可能で、データベース１８、２１等を使用して、ログインした本人が投稿した情報を一覧表示するページである。来公開および公開中の情報の「情報の状態」を確認することを可能とする。
【００４３】
（４）地域情報の新規登録と公開
前記の（Ｆ）詳細参照・登録ページにおける地域情報の新規投稿の処理フロー（新規投稿操作により未公開地域情報としてデータベースに登録する処理）を図２０に示す。
【００４４】
詳細参照・登録ページ画面において、「新規投稿ボタン」をクリックすると、登録ユーザか否かを表示し（Ｓ１）、登録ユーザでない場合は警告ウインドウを表示して元に戻る（Ｓ２）。登録ユーザであれば、投稿ウインドウを表示する（Ｓ３）。この投稿ウインドウ表示に対して、「取り消し」をボタンクリックした場合は投稿ウインドウを消去して元に戻る（Ｓ４）。その他の場合には、地域情報入力（ページの地図上をマウスクリックで場所を指定）し、「登録」ボタンクリックをしたときに、入力必須データの未入力および不正データがあるか否かをチェックし（Ｓ５）、これらがあれば警告ウインドウ表示で警告する（Ｓ６）。その他の場合は、投稿確認ウインドウを表示し（Ｓ７）、この表示に対して「いいえ」のボタンクリックがなされたときは投稿確認ウインドウを消去する（Ｓ８）。投稿確認に対して「はい」ボタンクリックがなされたとき、投稿ウインドウ、投稿確認ウインドウを消去し（Ｓ９）、投稿された情報を地域情報属性データベース１８にデータ追加を行うと共に、未公開地域情報シンボル属性データベース２０にデータを追加する（Ｓ１０）。
【００４５】
さらに、投稿ウインドウの添付ファイル欄で、添付ファイルの「あり」が選択されたか否かを問い（Ｓ１１）、添付ファイルがあれば、ファイル送信画面表示を行う（Ｓ１２）。この画面表示に対して、「閉じる」ボタンクリックされたとき、ファイル送信画面を消去する（Ｓ１３）。ファイル送信画面に対して、添付ファイル名を絶対パス付きで入力、またはファイル参照ウインドウから指定し、「追加」ボタンクリックされたとき、サーバに地域情報添付ファイルを送信し（Ｓ１４）、地域情報添付ファイルデータベース１９にデータを追加する（Ｓ１５）。また、「削除」ボタンクリックされたとき、サーバから地域情報添付ファイルを削除し（Ｓ１６）、地域情報添付ファイルデータベース１９からデータを削除する（Ｓ１７）。
【００４６】
次に、前記の（Ｊ）未公開情報一覧ページにおける地域情報の公開設定の処理フロー（公開設定操作により未公開地域情報を公開地域情報に設定する）を図２１に示す。
【００４７】
未公開情報一覧ページ画面において、「公開設定」ボタンクリックされたとき、公開確認ウインドウを表示し（Ｓ２１）、この表示に対して「いいえ」ボタンクリックされたとき、公開確認ウインドウを消去して元に戻る（Ｓ２２）。「はい」ボタンクリックされたとき、公開確認ウインドウを消去し（Ｓ２３）、一覧表で情報の状態が「公開する」と設定されているデータに対し、以下の処理を実行して元に戻る（Ｓ２４）。
【００４８】
・地域情報属性データベース１８のデータ（情報の状態）を更新する。
【００４９】
・未公開地域情報シンボル属性データベース２０から該当データを削除する。
【００５０】
・分野別地域情報シンボル属性データ２１に該当データを追加する。
【００５１】
なお、本発明は、図３〜７等に示した方法の一部又は全部の処理機能をプログラムとして構成してコンピュータを用いて実現すること、あるいはコンピュータに実行させることができる。また、コンピュータでその各部の処理機能を実現するためのプログラム、あるいはコンピュータにその処理手順を実行させるためのプログラムを、そのコンピュータが読み取り可能な記録媒体、例えば、フレキシブルディスク、ＭＯ、ＲＯＭ、メモリカード、ＣＤ、ＤＶＤ、リムーバブルディスクなどに記録して、保存したり、提供したりすることが可能であり、また、インターネットのような通信ネットワークを介して配布したりすることが可能である。
【００５２】
【発明の効果】
以上説明したように、本発明によれば、行政から見れば地図と関連する地域の細やかな情報や住民意見をリアルタイムに効率良く収集し、それらをＷｅｂページ等の上で地図を用いて分かり易く容易に（Ｗｅｂページ等の編集や地図画像の修正を行うことなく）提供できるという利点があり、また収集した情報をＧＩＳ地図上で分析することも可能で、住民意見に基づく地域に密着した施策を形成できるという利点がある。
【００５３】
また、住民から見れば常に新しい地域情報をいつでも何処からでも簡単に参照でき、また街づくりに対する意見や地域情報を地図を用いて簡単に投稿・発信できるという利点がある。
【００５４】
また、本発明によれば、投稿情報をインターネット等で公開する前に管理者が効率良くチエックし、不適切な表現を編集したり個人の誹諺中傷など不適切な情報を削除することができるという利点がある。
【図面の簡単な説明】
【図１】本発明の実施形態を示す基本的なシステム構成図。
【図２】実施形態におけるサーバのブロック構成図。
【図３】実施形態におけるＷｅｂページのリンク構成図。
【図４】実施形態におけるメインプログラムの機能ブロック図（その１）。
【図５】実施形態におけるメインプログラムの機能ブロック図（その２）。
【図６】実施形態におけるメインプログラムの機能ブロック図（その３）。
【図７】実施形態におけるメインプログラムの機能ブロック図（その４）。
【図８】実施形態におけるログインページの例。
【図９】実施形態におけるユーザ情報編集ページ（一般用）の例。
【図１０】実施形態におけるトップページの例。
【図１１】実施形態における広域地図表示ページの例。
【図１２】実施形態における一覧検索ページの例。
【図１３】実施形態における詳細参照・登録ページの例。
【図１４】実施形態における集計・分析表示ページの例。
【図１５】実施形態におけるユーザ情報管理ページの例。
【図１６】実施形態におけるユーザ情報編集ページ（管理者用）の例。
【図１７】実施形態における未公開情報一覧ページの例。
【図１８】実施形態における情報チェックページの例。
【図１９】実施形態における情報チェック状況確認ページの例。
【図２０】実施形態における地域情報の新規投稿の処理フロー。
【図２１】実施形態における地域情報の公開設定の処理フロー。
【符号の説明】
１…サーバ
１Ａ…情報管理用のクライアント
２…クライアント
１１…ＯＳ
１２…Ｗｅｂサーバ
１３…データベース管理システム
１４…ＧＩＳエンジン
１５…アプリケーションサーバ
１６…メインプログラム
１７…ユーザ管理データベース
１８…地域情報属性データベース
１９…地域情報添付ファイルデータベース
２０…未公開地域情報シンボル属性データベース
２１…分野別地域情報シンボル属性データベース
２２…基盤地図データ
２３…レイヤ別地域情報シンボルデータ
２４…地域情報添付ファイル
【図１】
2004062352.tif 000004
【図２】
2004062352.tif 000005
【図３】
2004062352.tif 000006
【図４】
2004062352.tif 000007
【図５】
2004062352.tif 000008
【図６】
2004062352.tif 000009
【図７】
2004062352.tif 000010
【図８】
2004062352.tif 000011
【図９】
2004062352.tif 000012
【図１０】
2004062352.tif 000013
【図１１】
2004062352.tif 000014
【図１２】
2004062352.tif 000015
【図１３】
2004062352.tif 000016
【図１４】
2004062352.tif 000017
【図１５】
2004062352.tif 000018
【図１６】
2004062352.tif 000019
【図１７】
2004062352.tif 000020
【図１８】
2004062352.tif 000021
【図１９】
2004062352.tif 000022
【図２０】
2004062352.tif 000023
【図２１】
2004062352.tif 000024